(57)【特許請求の範囲】
【請求項１】
本体下部に設けられている機械室と、この機械室の床の下方に形成されている外気流入用の空間と、機械室の前面に形成されている排気口と、前記排気口の奥側に立設されている空冷凝縮器と、この空冷凝縮器の奥側に配置されているとともに、機械室の背面壁および天井壁と間隔を有して前記空冷凝縮器より低く配置されている圧縮機と、機械室の背面壁と圧縮機との間における機械室の床に形成されている吸気口と、前記機械室の床の吸気口から外気流入用の空間の空気を吸い込み、この空気を圧縮機の上側および横側の周囲、ついで、空冷凝縮器の順に送風し、前記排気口から外部に排気している送風機とを備えていることを特徴とする冷凍機器。
【請求項２】
前記送風機が空冷凝縮器と排気口との間に配置されていることを特徴とする請求項１記載の冷凍機器。
【発明の詳細な説明】
【０００１】
【発明の属する技術分野】
本発明は、機械室の下方から空気を吸い込み、機械室の前面から排気する製氷機などの冷凍機器に関する。
【０００２】
【従来の技術】
この様な冷凍機器は、たとえば実公平１−２４５３５号公報（Ｆ２５Ｃ１／００）などに記載されており、機械室の下側には脚が設けられており、機械室の床と、設置面との間には外気流入用の空間が形成されている。また、機械室の床には吸気口が大きく開口しており、空冷凝縮器が倒れた状態で設けられ、吸気口の上方を覆っている。この空冷凝縮器の上方には、送風機、圧縮機および電装品が配置されるとともに、機械室の前面には上下に各々排気口が形成されている。そして、送風機により、吸気口から外部の空気を吸い込んでおり、この吸い込まれた空気は空冷凝縮器を冷却し、ついで、空気の一部は圧縮機および電装品を冷却し、その後に、上または下の排気口から排気されている。
【０００３】
この様に、機械室の下方から空気を吸い込み、前面から排気しているので、店内のカウンターの下などのように、冷凍機器の上側、左右両側および奥側に他の機器や壁が存在する場合にも、機械室の換気を行うことができる。
【０００４】
【発明が解決しようとする課題】
ところで、周囲温度が常温（例えば３０℃）の場合には、空冷凝縮器を冷却した空気は約４５℃の温度となっており、この空冷凝縮器により逆に加熱されており、温度が上昇している。この温かい空気が、機械室に流入充満しているので、機械室の温度が上昇して、上側に配置されている冷凍機器の本体たとえば貯氷室に熱が侵入することがある。また、圧縮機は、この機械室の温かい空気で冷却されているので、圧縮機を冷却する効率が低下する。
【０００５】
本発明は、以上のような課題を解決するためのもので、機械室に温かい空気が充満することが少ない冷凍機器を提供することを目的とする。
【０００６】
【課題を解決するための手段】
本発明にかかる冷凍機器（１）は、本体（２）下部に設けられている機械室（３）と、この機械室の床の下方に形成されている外気流入用の空間（１２）と、機械室の前面に形成されている排気口（２２）と、前記排気口の奥側に立設されている空冷凝縮器（２６）と、この空冷凝縮器の奥側に配置されているとともに、機械室の背面壁（３３）および天井壁（３１）と間隔を有して前記空冷凝縮器より低く配置されている圧縮機（２７）と、機械室の背面壁と圧縮機との間における機械室の床（１０）に形成されている吸気口（４１）と、前記機械室の床の吸気口から外気流入用の空間の空気を吸い込み、この空気を圧縮機の上側および横側の周囲、ついで、空冷凝縮器の順に送風し、前記排気口から外部に排気している送風機（２４）とを備えている。
【０００７】
また、送風機が空冷凝縮器と排気口との間に配置されている場合がある。
【０００８】
【発明の実施の形態】
次に、本発明における冷凍機器の実施の一形態を図１ないし図４を用いて説明する。図１は本発明にかかる製氷機の一部切欠き斜視図である。図２は図１の製氷機の説明図で、（ａ）が正面図、（ｂ）が一部切欠き側面図である。図３は機械室の平面図である。図４は製氷機の配置図である。
【０００９】
冷凍機器である小型製氷機１は、上部に貯氷庫２が、下部に機械室３が配置されている。貯氷庫２は断熱箱体で形成されているとともに、内部は上下に区画されて、上部が製氷室６、下部が貯氷室７となっている。そして、製氷室６で製氷された氷は貯氷室７に落下して貯められている。この貯氷室７の前面には、扉８が開閉自在に設けられており、この扉８を開けて、貯氷室７内の氷を取り出すことができる。
【００１０】
また、機械室３の底面の四隅には各々、ゴムまたは金属製のアジャスタブル台脚９が設けられている。この台脚９により、機械室３の底面である床１０と、製氷機１の設置面１１との間に約２０mm〜３０mmの隙間が形成され、外気流入用の空間１２となっている。
【００１１】
機械室３の前面には、前面パネル２１が着脱自在に取り付けられており、この前面パネル２１の右側の部分には排気口２２が形成されている。この排気口２２の奥側には、送風機２４が、その奥には例えばプレートフィン型の空冷凝縮器２６が、さらに奥には圧縮機２７が設けられている。空冷凝縮器２６は機械室３の床１０上に立設され、上端は機械室３の天井壁３１すなわち貯氷庫２の底壁に近接している。一方、圧縮機２７は機械室３の床１０上に設置され、圧縮機２７の上端と機械室３の天井壁３１との間には空間３２が形成されている。また、圧縮機２７と機械室３の背面壁３３との間にも空間３４が形成されている。そして、空冷凝縮器２６と圧縮機２７とは、製氷室６に設けられている図示しない冷却器とともに冷凍サイクルを構成している。
【００１２】
また、空冷凝縮器２６の横側である左側には、電装品を収納している電装箱３８が設けられ、この電装箱３８の手前側は、前面パネル２１で覆われている。そして、前面パネル２１における電装箱３８に対向する部分には、排気口２２は形成されておらず、空気の流通を阻止している。さらに、機械室３の床１０には、奥側の部分および電装箱３８の下の部分に、吸気口４１が形成されている。この吸気口４１の下面を覆うエアーフィルター４３が、機械室３の床１０の下方に着脱自在に設けられている。
【００１３】
この様に構成されている製氷機１が稼働すると、製氷室６において氷が製氷され、製氷された氷は落下して貯氷室７に貯められる。また、送風機２４を運転し、図２（ｂ）に図示するように、外気流入用の空間１２の空気を吸気口４１から機械室３内に吸い込んでおり、空気中のゴミは機械室３に吸い込まれる際に、エアーフィルター４３で取り除かれている。また、機械室３に吸い込まれた空気は圧縮機２７の横側および上側の周囲を通過し、ついで、空冷凝縮器２６を通過して、送風機２４に達し、排気口２２から機械室３の外に排気されている。この送風機２４の送風により、常温（例えば３０℃）の場合には約８０℃の圧縮機２７、約４５℃の空冷凝縮器２６および運転停止時よりも高温となる送風機２４は順に空冷されている。
【００１４】
また、電装箱３８の下の吸気口４１からも空気が機械室３内に吸い込まれ、最高許容温度が約６０℃の電装箱３８を空冷しながら、圧縮機２７および空冷凝縮器２６の方に流れて、排気口２２から排気されている。
【００１５】
この様に、外気流入用の空間１２の空気が、奥側に位置する吸気口４１から機械室３内に吸い込まれているので、図２（ｂ）に図示するように、製氷機１の前面の下側の空気が外気流入用の空間１２に吸い込まれ、外気流入用の空間１２の手前側から奥側に向かって流れている。
【００１６】
また、製氷機１は、機械室３の下方から空気を吸い込み、前面パネル２１の排気口２２から排気しているので、図４に図示するように、製氷機１の奥側に壁Ｋが、また、左右両側に厨房機器S1，S2が配置されていても、機械室３内の換気を行うことができる。
【００１７】
前述のように、実施の形態においては、空冷凝縮器２６は空気の流れの下流側に設けられており、空冷凝縮器２６を冷却した温かい空気は、直ぐに排気口２２から排気されている。その結果、機械室３内に温かい空気が淀むことが少なくなる。
【００１８】
ところで、空冷凝縮器２６は空冷効率を向上するために、圧縮機２７よりも高く構成され、機械室３の天井壁３１との間の間隔が小さくなっているので、空冷凝縮器２６を空冷した温かい空気は、背の低い圧縮機２７を空冷した空気よりも、天井壁３１に熱影響を与えやすい。したがって、空冷凝縮器２６を圧縮機２７の下流側すなわち手前側に設け、空冷凝縮器２６と排気口２２との距離を短くすると、短くなった分だけ、天井壁３１は温められることが少なくなり、機械室３から貯氷庫２に侵入する熱が減少する。
【００１９】
また、空冷凝縮器２６の上流側に設けられている圧縮機２７は、機械室３の天井壁３１および背面壁３３と間隔を有し、空間３２，３４が形成されている。この空間３２，３４を、吸気口４１から吸い込まれた比較的冷たい外部の空気が流れているので、圧縮機２７上方には温かい空気が淀むことが減少する。したがって、天井壁３１から貯氷庫２に熱が侵入することを防止することができる。
【００２０】
そして、電装箱３８は空冷凝縮器２６の横側に設けられており、圧縮機２７および空冷凝縮器２６を冷却した温かい空気が当たることがないので、電装箱３８の温度が上昇することを防止することができる。しかも、電装箱３８の下方にも、吸気口４１が設けられ、比較的冷たい外部の空気が吸い込まれているので、さらに電装箱３８の温度の上昇を抑えることができる。この様にして、電装箱３８の温度を、最高許容温度たとえば約６０℃以下にすることができる。特に、高温たとえば約８０℃になる圧縮機２７の下流側に配置されていないことが重要である。そして、従来例の様に、空冷凝縮器２６および圧縮機２７の下流側に、電装箱３８が配置されていると、電装箱３８に当たる空気の温度が、最高許容温度以上になって、電装箱３８の内部の基板等が焼損することがある。
【００２１】
さらに、空冷凝縮器２６が立設した状態で設けられているので、機械室３の床１０の上面が空冷凝縮器２６で占拠されることがなく、他の機器たとえば送風機２４、圧縮機２７や電装箱３８を床１０上に設けることができる。したがって、他の機器を吊り下げたり、載置棚を設けたりする必要がなく、取り付け作業や取り付けコストを削減することができる。
【００２２】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態において、冷凍機器は製氷機であるが、他の冷凍機器たとえば冷却貯蔵庫などであることも可能である。
【００２３】
（２）実施の形態においては、空気は圧縮機２７の上側および横側を通過しているが、少なくとも、圧縮機２７の上側および横側を通過しているならば、圧縮機２７の下側を通過することも可能である。
（３）実施の形態においては、電装箱３８の下側にも、吸気口４１が形成されているが、電装箱３８の下側には吸気口４１を形成しないことも可能である。
【００２４】
（４）実施の形態においては、空冷凝縮器２６の手前側に送風機２４が設けられているが、空冷凝縮器２６と圧縮機２７との間や、圧縮機２７の奥側などに配置することも可能である。しかしながら、空冷凝縮器２６の手前側に送風機２４を配置した方が、送風機２４は他の機器よりもメンテナンスの頻度が高いので、保守点検が容易となる。
【００２５】
【発明の効果】
本発明によれば、空冷凝縮器の上流側に圧縮機が設けられているので、圧縮機を十分に空冷することができる。また、空冷凝縮器が圧縮機の下流側に設けられ、かつ、機械室に吸い込まれた比較的温度の低い空気が、圧縮機の上側を通過しているので、機械室内に熱がこもることが減少するとともに、圧縮機上方の空気の温度が低くなり、機械室の上方に位置する冷凍機器本体に熱が侵入することを防止することができる。その結果、冷凍機器の冷却エネルギーのロスを減少させることができる。
【００２６】
また、送風機が空冷凝縮器と排気口との間に配置されている場合には、送風機が手前側に配置され、保守点検作業が容易となる。この送風機は圧縮機や空冷凝縮器よりもメンテナンスの頻度が高いので、冷凍機器全体の保守点検の作業効率が向上する。
【図面の簡単な説明】
【図１】図１は本発明にかかる製氷機の一部切欠き斜視図である。
【図２】図２は図１の製氷機の説明図で、（ａ）が正面図、（ｂ）が一部切欠き側面図である。
【図３】図３は機械室の平面図である。
【図４】図４は製氷機の配置図である。
【符号の説明】
１  製氷機（冷凍機器）
２  貯氷庫（本体）
３  機械室
１０  床
１２  外気流入用の空間
２２  排気口
２４  送風機
２６  空冷凝縮器
２７  圧縮機
３１  天井壁
３３  背面壁
４１  吸気口
【図１】
0003863600.tif 000002
【図２】
0003863600.tif 000003
【図３】
0003863600.tif 000004
【図４】
0003863600.tif 000005